(57)【特許請求の範囲】
【請求項１】
パネル上に配置された表示手段と、
各チャンネルのパラメータを記憶したメモリと、
フェーダ、チャンネル選択ボタンおよびエンコーダが設けられたｃｈストリップを複数有し、前記表示手段の手前に配置されている割当ｃｈストリップ部と、
複数のスイッチ付きのノブ操作子を有し、前記パネル上に配置されている選択ｃｈ操作部と、
一部のチャンネルに前記割当ｃｈストリップ部における各ｃｈストリップをそれぞれ割り当てるｃｈ割当部と、
前記選択ｃｈ操作部が有する何れかの前記スイッチ付きのノブ操作子のオン操作に応じて、前記割当ｃｈストリップ部における前記各ｃｈストリップの前記エンコーダに、オン操作された前記スイッチ付きのノブ操作子に対応するパラメータを割り当てるパラメータ割当部とを備え、
前記割当ｃｈストリップ部における前記ｃｈストリップの前記フェーダの操作に応じて、前記メモリにおける当該ｃｈストリップに割り当てられているチャンネルの音量パラメータの値が変更され、
前記割当ｃｈストリップ部における前記ｃｈストリップの前記チャンネル選択ボタンの操作に応じて、当該ｃｈストリップに割り当てられているチャンネルが選択され、
前記選択ｃｈ操作部が有する何れかの前記スイッチ付きのノブ操作子の回転操作に応じて、前記メモリにおける前記選択されたチャンネルのパラメータのうちの、当該ノブ操作子に対応するパラメータの値が変更され、
前記割当ｃｈストリップ部が有する前記エンコーダの回転操作に応じて、前記メモリにおける当該ｃｈストリップに割り当てられているチャンネルのパラメータのうち、前記エンコーダに割り当てられたパラメータの値が変更され、
前記メモリに記憶されているパラメータに基づく信号処理が行われるようにしたことを特徴とするディジタルミキサ。
【請求項２】
パネル上に配置された表示手段と、
各チャンネルのパラメータを記憶したメモリと、
フェーダ、チャンネル選択ボタンおよびエンコーダが設けられたｃｈストリップを複数有し、前記表示手段の手前に配置されている割当ｃｈストリップ部と、
複数のスイッチ付きのノブ操作子を有し、前記パネル上に配置されている選択ｃｈ操作部と、
一部のチャンネルに前記割当ｃｈストリップ部における各ｃｈストリップをそれぞれ割り当てると共に、該一部のチャンネルのパラメータの状態を表示するｃｈストリップ画面を前記割当ｃｈストリップ部から連続的に前記表示手段表示させるｃｈ割当部と、
前記選択ｃｈ操作部が有する何れかの前記スイッチ付きのノブ操作子のオン操作に応じて、前記割当ｃｈストリップ部における前記各ｃｈストリップの前記エンコーダに、オン操作された前記スイッチ付きのノブ操作子に対応するパラメータを割り当てると共に、前記ｃｈストリップ画面中の当該パラメータの表示にカーソルを移動させるパラメータ割当部とを備え、
前記割当ｃｈストリップ部における前記ｃｈストリップの前記フェーダの操作に応じて、前記メモリにおける当該ｃｈストリップに割り当てられているチャンネルの音量パラメータの値が変更され、
前記割当ｃｈストリップ部における前記ｃｈストリップの前記チャンネル選択ボタンの操作に応じて、当該ｃｈストリップに割り当てられているチャンネルが選択され、
前記選択ｃｈ操作部が有する何れかの前記スイッチ付きのノブ操作子の回転操作に応じて、前記メモリにおける前記選択されたチャンネルのパラメータのうちの、当該ノブ操作子に対応するパラメータの値が変更されると共に、前記ｃｈストリップ画面中に当該パラメータが表示されている場合はその表示が更新され、
前記割当ｃｈストリップ部が有する前記エンコーダの回転操作に応じて、前記メモリにおける当該ｃｈストリップに割り当てられているチャンネルのパラメータのうち、前記エンコーダに割り当てられたパラメータの値が変更されると共に、前記ｃｈストリップ画面中の当該チャンネルにおける当該パラメータの表示が更新され、
前記メモリに記憶されているパラメータに基づく信号処理が行われるようにしたことを特徴とするディジタルミキサ。
【請求項３】
前記表示手段はタッチパネルから構成されており、前記選択ｃｈ操作部の何れかの前記スイッチ付きのノブ操作子のオン操作に応じて、前記一部のチャンネルの当該ノブ操作子に対応するパラメータの操作子と、付随するオン／オフパラメータのボタン操作子が配置された横一列画面が、前記ｃｈストリップ画面の上にポップアップ表示され、該ポップアップ表示された横一列画面におけるボタン操作に応じて、該付随するオン／オフパラメータのオン／オフ操作が可能とされていることを特徴とする請求項２記載のディジタルミキサ。
【発明の詳細な説明】
【技術分野】
【０００１】
この発明は、入力される信号に信号処理を施すパラメータを容易に変更することのできるディジタルミキサに関する。
【背景技術】
【０００２】
従来、多数のマイクロホンあるいは電気・電子楽器などから出力されるオーディオ信号のレベルや周波数特性を調整してミキシングし、パワーアンプに送り出すコンサートホール等で使用されるディジタルミキサが知られている。ディジタルミキサを操作するオペレータは、楽器音や歌唱の各オーディオ信号の音量や音色を、ディジタルミキサにおける各種パネル操作子を操作することにより、演奏を最もふさわしく表現していると思われる状態に調整している。ディジタルミキサは、入力信号系列として複数の入力チャンネルと該入力チャンネルから出力される信号をミキシングするバスと、ミキシングされた信号を出力する出力系列である出力チャンネルを備えている。各入力チャンネルはそれぞれ入力する信号の周波数特性やミキシングレベル等を制御して各ミキシングバスに出力し、各ミキシングバスはそれぞれ入力する信号をミキシングして対応する出力チャンネルに出力する。出力チャンネルからの出力は増幅されてスピーカ等から放音される。
【特許文献１】特開２００６−２６２０７９号公報
【発明の開示】
【発明が解決しようとする課題】
【０００３】
従来のディジタルミキサにおいて、入力チャンネルや出力チャンネルには信号処理用の種々のパラメータが用意されている。これらの各パラメータはユーザが変更可能とされており、選択されたチャンネルにおけるパラメータを展開し操作するための選択ｃｈ操作部が用意されている。ユーザがある特定のチャンネルのパラメータ変更を行う際には、その特定のチャンネルを選択し、選択ｃｈ操作部における変更したいパラメータに対応するノブ操作子等の操作子を操作することによりパラメータを変更していた。この場合、ディジタルミキサのパネルには複数チャンネル分のｃｈストリップが用意されており、各ｃｈストリップが備えるＳＥＬボタンのうちの最後にＳＥＬボタンが操作されたｃｈストリップに割り当てられているチャンネルが「選択されたチャンネル」となる。また、各ｃｈストリップには回転操作するエンコーダが設けられており、このエンコーダで変更するパラメータの割当がタッチパネルとされている表示器に表示されている操作子へのタッチ操作により行われ、タッチ操作された操作子に対応するパラメータがエンコーダに割り当てられるようになっていた。
【０００４】
しかしながら、タッチパネルへのタッチでは、表示器に表示されている操作子を見ながら行う必要があると共に、表示器に表示されている操作子は物理的に分離された操作子ではないことから、誤って隣の操作子にタッチするとエンコーダに異なるパラメータが割り当てられてしまうという問題点があった。
そこで、本発明はｃｈストリップに設けられているエンコーダに誤ることなく所望のパラメータを割り当てることができるディジタルミキサを提供することを目的としている。
【課題を解決するための手段】
【０００５】
上記目的を達成するために、本発明のディジタルミキサは、選択ｃｈ操作部が有する何れかのスイッチ付きのノブ操作子のオン操作に応じて、割当ｃｈストリップ部が有する各エンコーダに、オン操作されたスイッチ付きのノブ操作子に対応するパラメータを割り当てることを最も主要な特徴としている。
【発明の効果】
【０００６】
本発明によれば、選択ｃｈ操作部が有する何れかのスイッチ付きのノブ操作子のオン操作に応じて、割当ｃｈストリップ部が有する各エンコーダに、オン操作されたスイッチ付きのノブ操作子に対応するパラメータを割り当てている。この場合、スイッチ付きのノブ操作子は表示画面に表示されているのではなく、物理的にパネル上に配置されていることから、誤ることなく所望のスイッチ付きノブ操作子を容易にオン操作して、エンコーダに誤ることなく所望のパラメータを割り当てることができるようになる。
【発明を実施するための最良の形態】
【０００７】
本発明の実施例にかかるディジタルミキサの構成を示すブロック図を図１に示す。
図１に示す本発明の実施例に係るディジタルミキサ１において、ディジタルミキサ１の全体の動作を制御すると共に、ノブ操作子等の操作子の操作に応じた制御信号を生成しているＣＰＵ（Central Processing Unit）１０と、ＣＰＵ１０が実行するミキシング制御プログラム等の動作ソフトウェアが格納されている書き換え可能な不揮発性のフラッシュメモリ１１と、ＣＰＵ１０のワークエリアや各種データ等が記憶されるＲＡＭ（Random Access Memory）１２を備えている。このように、フラッシュメモリ１１に動作ソフトウェアを格納することにより、フラッシュメモリ１１内の動作ソフトウェアを書き換えることで、動作ソフトウェアをバージョンアップすることができる。また、ディジタルレコーダ等のその他の機器は、入出力インタフェースであるその他Ｉ／Ｏ  １３を介してディジタルミキサ１に接続される。また、コンピュータを接続することのできるコンピュータ接続インタフェース（ComputerＩ／Ｏ）１４が設けられており、このコンピュータ接続インタフェース１４にコンピュータを接続してミキシング制御プログラムを実行することにより、ディジタルミキサ１をコンピュータによりリモートコントロールすることができる。
【０００８】
タッチスクリーン１５はディジタルミキサ１のパネルに設けられており、液晶等のディスプレイとマトリクス・スイッチ等を組み合わせた装置で、タッチスクリーン１５上の表示を押す操作を行うことでパラメータ値の変更やオン／オフを切り換えることができる。タッチスクリーン１５は、複数のチャンネルからなるグループを選択するタッチパネルと、複数のチャンネル分のｃｈストリップ部の画面や、チャンネルのパラメータを変更できる操作子の画面が表示されるタッチパネルとから構成される。操作子１６は、選択されたチャンネル等のパラメータを変更するノブ操作子や、ｃｈストリップに備えられる操作子である。電動フェーダ１７は、入力チャンネルの信号あるいは出力チャンネルの信号のレベルを調整するフェーダであり、手動および電動によりレベル調整することができる。ディジタルミキサ１の全ての入力と全ての出力は波形Ｉ／Ｏ（波形データインタフェース）１８により行われる。この波形Ｉ／Ｏ１８は、アナログ信号が入力される複数のＡ入力ポートと、アナログ信号が出力される複数のＡ出力ポートと、外部からディジタル信号を入力すると共に外部へディジタル信号を出力する双方向とされている複数のＤ入力／Ｄ出力ポートとを備えている。
【０００９】
また、波形Ｉ／Ｏ１７には、ディジタルミキサ１のオペレータが操作子を操作する際のモニタ信号を出力するモニタ用ポートも備えられている。さらに、信号処理部（ＤＳＰ）１９は多数のＤＳＰ（Digital Signal Processor）を用いて構成されており、ＣＰＵ１０の制御の元でミキシング処理やエフェクト処理などを行っている。ＲＡＭ１２は、このミキシング処理やエフェクト処理を制御するための各種パラメータの現在値を記憶しており、ＣＰＵ１０は、ノブ等の操作子の操作に応じてＲＡＭ１２の記憶するパラメータの現在値を変更するとともに、該パラメータの現在値に基づいて、信号処理部１９が行うミキシング処理やエフェクト処理の係数やアルゴリズムを制御する。この信号処理部１９においてミキシング処理されたミキシング信号をレコーダに供給して記録することができると共に、レコーダから再生したミキシング信号を信号処理部１９へ供給することができる。各部はバス２０に接続されている。
【００１０】
次に、本発明にかかる図１に示す構成のディジタルミキサ１の信号処理部１９で行われるミキシング処理と、該ミキシング処理に接続された波形Ｉ／Ｏ１８の入出力ポートの等価的な機能ブロック図を図２に示す。
図２において、複数のアナログ入力ポート（Ａ入力）３０に入力されたアナログ信号は、波形Ｉ／Ｏ１８に内蔵されているＡＤ変換器によりディジタル信号に変換されて入力パッチ３２に入力される。また、複数のディジタル入力ポート（Ｄ入力）３１に入力されたディジタル信号は、そのまま入力パッチ３２に入力される。入力パッチ３２では、信号の入力元である複数の入力ポートの何れか１つの入力ポートを、例えば４８チャンネルとされる複数の入力ｃｈ部３３の各入力チャンネル毎に選択的にパッチ（結線）することができ、各入力チャンネルには、入力パッチ３２でパッチされた入力ポートからの信号が供給される。
【００１１】
入力ｃｈ部３３における各入力チャンネルには、アッテネータ、イコライザ、コンプレッサやゲート、フェーダと、ステレオ（ＳＴ）バス３４やミキシング（ＭＩＸ）バス３５への送り出しレベルを調整するセンド調整部が備えられており、これらの入力チャンネルにおいて、周波数バランスやレベル制御およびＳＴバス３４やＭＩＸバス３５への送出レベルが調整される。入力ｃｈ部３３から出力される４８チャンネルのディジタル信号は、それぞれＳＴ１〜２の２組のＳＴバス３４およびＭＩＸ１〜１６の１６本のＭＩＸバス３５の１ないし複数に選択的に出力される。ＳＴバス３４においては、２組の各バスにおいて、４８入力チャンネルのうちの任意の入力チャンネルから選択的に入力された１ないし複数のディジタル信号がミキシングされて、合計２ステレオチャンネル（２ｃｈ×２）のミキシング出力がＳＴ出力ｃｈ部３６に出力される。ＭＩＸバス３５においては、１６本の各バスにおいて、４８入力チャンネルのうちの任意の入力チャンネルから選択的に入力された１ないし複数のディジタル信号がミキシングされて、合計１６チャンネルのミキシング出力がＭＩＸ出力ｃｈ部３７に出力される。これにより、２通りにミキシングされた２チャンネルのステレオ出力と、１６通りにミキシングされた１６チャンネルのミキシング出力とを得ることができる。
【００１２】
ＳＴ出力ｃｈ部３６およびＭＩＸ出力ｃｈ部３７における各出力チャンネルには、アッテネータ、イコライザ、コンプレッサ、フェーダが備えられており、これらの出力チャンネルにおいて、周波数バランスやレベル調整および出力パッチ３８へ送出されるレベルが制御される。出力パッチ３８では、信号の入力元であるＳＴ出力ｃｈ部３６およびＭＩＸ出力ｃｈ部３７からの２チャンネルのステレオ信号および１６チャンネルのミキシング信号の何れか１つのチャンネルを、アナログ出力ポート部（Ａ出力）３９やディジタル出力ポート部（Ｄ出力）４０の各出力ポート毎に選択的にパッチ（結線）することができ、各出力ポートには、出力パッチ３８でパッチされたチャンネルからの信号が供給される。
また、複数のアナログ出力ポートを備えるアナログ出力ポート部（Ａ出力）３９へ供給されたディジタル出力信号は、波形Ｉ／Ｏ１８に内蔵されているＤＡ変換器によりアナログ出力信号に変換されてアナログ出力ポートから出力される。そして、アナログ出力ポート部（Ａ出力）３９から出力されるアナログ出力信号は、増幅されてメインのスピーカから放音される。さらに、このアナログ出力信号は出演者が耳に装着するインイヤーモニタに供給されたり、その出演者の近傍に置かれたステージモニタスピーカで再生される。また、複数のディジタル出力ポートを備えるディジタル出力ポート部（Ｄ出力）４０から出力されるディジタルオーディオ信号は、レコーダや外部接続されたＤＡＴ等に供給されてディジタル録音することができるようにされている。
【００１３】
ここで、本発明にかかるディジタルミキサ１のパネルの概略構成と、パネルに設けられている割当ｃｈストリップ部とＧ選択操作部の構成を図３に示す。
図３に示すように、ディジタルミキサ１のパネルにはタッチパネル１０１が設けられている。また、パネルには選択されたチャンネルのパラメータを変更することができる選択ｃｈ操作部５０と、例えば８本のｃｈストリップからなる割当ｃｈストリップ部５１と、この割当ｃｈストリップ部５１に割り当てる例えば８チャンネルのチャンネルグループのいずれかを選択するＧ選択操作部５２が設けられている。さらに、パネルにはその他の各種操作子５３も設けられている。タッチパネル１０１には、選択されたグループのチャンネルがそれぞれ割り当てられるｃｈストリップ部の画面と、このチャンネルの内の選択されたチャンネルのパラメータを変更可能な操作子の画面が表示される。
図３には、割当ｃｈストリップ部５１の詳細構成が拡大されて示されており、ｉ＝１〜ｉ＝８の８本のｃｈストリップが設けられている。各ｃｈストリップの構成は同様とされており、ｉ＝１のｃｈストリップについて以下に説明する。
【００１４】
エンコーダ６０−１はエンドレスで回転するノブ操作子であり、アサインされたパラメータの値を変更することができる。ＳＥＬキー６１−１は、オン操作することにより当該ｃｈストリップに割り当てられているチャンネルのパラメータを、選択ｃｈ操作部５０において変更することができるようになる。ＣＵＥキー６２−１は、オン操作することにより当該ｃｈストリップに割り当てられているチャンネルの信号をキューモニタすることができるようになる。メータＬＥＤ６３−１は当該ｃｈストリップに割り当てられているチャンネルのレベルを表示する例えば６ポイントのＬＥＤである。ＯＮキー６４−１は、当該ｃｈストリップに割り当てられているチャンネルのオン／オフを切り換えるキーであり、ＯＮキー６４−１をオフにすると、当該チャンネルからＭＩＸバス３５やＳＴバス３４には一切信号が送られなくなる。フェーダ６６−１は、当該ｃｈストリップに割り当てられているチャンネルの音量レベルを調節するフェーダであり、フェーダ６６−１はユーザが操作する摘み６５−１を有している。ｉ＝２〜ｉ＝８のｃｈストリップも同様の構成とされており、その説明は省略する。
【００１５】
Ｇ選択操作部５２は液晶等のタッチパネルにより構成されており、例えば、それぞれ８チャンネルから構成される１２のグループのいずれかのグループを選択することができる。図示する例では、Ｇ選択操作部５２にｇ＝１〜ｇ＝１０とされた第１グループ５２ａないし第１０グループ５２ｊが表示されており、各グループの表示画面上にタッチすることにより、当該グループを選択することができる。各グループは８チャンネルで構成されるグループとされており、その表示部にはグループ名およびグループを構成している各チャンネルのレベルが表示されている。Ｇ選択操作部５２において選択されたグループの各チャンネルが割当ｃｈストリップ部５１の各ｃｈストリップにそれぞれ割り当てられ、各ｃｈストリップの操作子を操作することにより割り当てられたチャンネルのパラメータを変更できるようになる。なお、図３に示す例では第１グループ（ｇ＝１）〜第６グループ５２ｆのグループが入力チャンネル系のグループとされており、第７グループ（ｇ＝７）〜第１０グループ（ｇ＝１０）のグループが出力チャンネル系のグループとされている。
【００１６】
第１グループ（ｇ＝１）５２ａは入力チャンネル１−８からなるグループとされ、第２グループ（ｇ＝２）５２ｂは入力チャンネル９−１６からなるグループとされ、第３グループ（ｇ＝３）５２ｃは入力チャンネル１７−２４からなるグループとされ、第４グループ５２ｄは入力チャンネル２５−３２からなるグループとされ、第５グループ（ｇ＝５）５２ｅは入力チャンネル３３−４０からなるグループとされ、第６グループ５２ｆは入力チャンネル４１−４８からなるグループとされている。ただし、図２に示す入力ｃｈ部３３の入力チャンネル数が３２チャンネルとされている場合は、第５，６グループは設けられない。また、第７グループ（ｇ＝７）５２ｇはＭＩＸ出力チャンネル１−８からなるグループとされ、第８グループ（ｇ＝８）５２ｈはＭＩＸ出力チャンネル９−１６からなるグループとされ、第９グループ（ｇ＝９）５２ｉはＳＴ出力チャンネル１−２からなるグループとされ、第１０グループ（ｇ＝１０）５２ｊはＶＣＡ１−８からなるグループとされている。また、グループを追加することもできる。
【００１７】
ここで、図３に示すディジタルミキサ１のパネルの中央セクションの構成を図６に示す。ただし、Ｇ選択操作部５２および各種操作子５３の構成は示していない。
図６に示すパネルの例では、タッチパネル１０１に８チャンネル分のｃｈストリップ部１０２と、ｃｈストリップ部１０２の向かって左側にチャンネル操作部の画面が表示されている。タッチパネル１０１の下には８チャンネル分の割当ｃｈストリップ部５１が配置されており、割当ｃｈストリップ部５１における各ｃｈストリップの直上に連続して、各ｃｈストリップが延伸されたｃｈストリップ部１０２の各ｃｈストリップの画面が表示されている。この場合、タッチパネル１０１に表示されているｃｈストリップ部１０２における各ｃｈストリップでは、割当ｃｈストリップ部５１において対応するｃｈストリップにアサインされているパラメータの状態がノブ操作子やスイッチ操作子としてグラフィカルに表示されると共に、ユーザが、表示されているノブ操作子にタッチすることにより、当該操作子に対応するパラメータを選択したり、表示されているスイッチ操作子にタッチすることにより、当該操作子に対応するパラメータのオン／オフ状態を反転させたりすることができる。
【００１８】
タッチパネル１０１の左側に表示されているチャンネル操作部では、ｃｈストリップ部１０２の左側に表示されているチャンネル操作部（１０３、１０４、１０６、他）では、後述するＳＥＬキーの操作により選択されたチャンネルのパラメータの状態をノブ操作子やスイッチ操作子としてグラフィカルに表示している。チャンネル操作部においても、ユーザが、表示されているノブ操作子にタッチすることにより、当該操作子に対応するパラメータを選択したり、表示されているスイッチ操作子にタッチすることにより、当該操作子に対応するパラメータのオン／オフ状態を反転させたりすることができる。チャンネル操作部には、４バンドのパラメトリックイコライザのパラメータの状態を示す合計１２個の操作子からなるＥＱ部１０４の画面が表示されている。ＥＱ部１０４では、例えばHIGH、HIGH MID、LOW MID、LOWの４バンドにおけるゲイン（Ｇ）、周波数（Ｆ）と選択度（Ｑ）を設定する合計１２個の操作子を有している。また、選択されたチャンネルから１６本のＭＩＸバス３５にそれぞれ送るセンドレベルを調整する合計１６個の操作子からなるセンドレベル部１０３と、選択されたチャンネル番号およびチャンネル名を表示する選択ｃｈ部１０６の画面が表示されている。この選択ｃｈ部１０６に表示されるチャンネルは、割当ｃｈストリップ部５１におけるオン操作されたＳＥＬキー６１−１，６１−２・・・のｃｈストリップにアサインされているチャンネルとされる。
【００１９】
また、選択ｃｈ操作部５０では、割当ｃｈストリップ部５１にアサインされている８チャンネルの内から選択されたチャンネルのパラメータを変更することができる。このチャンネルの選択は、割当ｃｈストリップ部５１におけるＳＥＬキー６１−１，６１−２・・・のいずれかをオン操作することで、当該ＳＥＬキーのｃｈストリップにアサインされているチャンネルが選択される。選択ｃｈ操作部５０では、選択されたチャンネルのパラメータを変更することができる。選択ｃｈ操作部５０には、４バンドのパラメトリックイコライザのパラメータを設定・変更することのできる合計１２個のスイッチ付きノブ操作子からなるＥＱノブ５０ｂが設けられている。ＥＱノブ５０ｂでは、例えばHIGH、HIGH MID、LOW MID、LOWの４バンドにおけるゲイン（Ｇ）、周波数（Ｆ）と選択度（Ｑ）を設定する合計１２個のスイッチ付きのノブ操作子から構成されている。また、選択されたチャンネルから１６本のＭＩＸバス３５にそれぞれ送るセンドレベルを調整する合計１６個のスイッチ付きのノブ操作子からなるセンドレベルノブ５０ａと、第１ダイナミクスのパラメータを変更するスイッチ付きのノブ操作子からなる第１ダイナミクスノブ５０ｃと、第２ダイナミクスのパラメータを変更するスイッチ付きのノブ操作子からなる第２ダイナミクスノブ５０ｄとが設けられている。先述したチャンネル操作部の各ブロックには、それぞれ、選択ｃｈ操作部５０の各ブロックの操作子に対応する操作子がグラフィカル表示されている。例えば、センドレベル部１０３には、センドレベルの部５０ａに対応する１２個のノブが表示され、ＥＱ部１０４には、ＥＱノブ５０ｂに対応する１２個のノブが表示され、さらに、ダイナミクス部（ＥＱ部１０４の下側）には、第１ダイナミクスノブ５０ｃ、第２ダイナミクスノブ５０ｄに対応するノブを含む１２個のノブが表示されている。
【００２０】
このように、選択ｃｈ操作部５０に設けられているノブ操作子はスイッチ付きとされており、回転させることによりパラメータ値を変更することができると共に、軸方向に押すことによりオン操作することができるようにされている。スイッチ付きノブ操作子のいずれかをオン操作すると、当該ノブ操作子で変更できるパラメータを、割当ｃｈストリップ部５１に設けられているエンコーダ６０−１，６０−２，・・・に割り当てて変更することができるようになる。この場合、エンコーダ６０−１，６０−２，・・・に割り当てられたパラメータに対応する操作子等がタッチパネル１０１に表示されているｃｈストリップ部１０２において表示されている場合は、その操作子等にカーソルが自動的に移動されて当該パラメータが変更可能であることが表示される。
【００２１】
次に、入力ｃｈ部３３におけるｉ番目の入力チャンネル（ｉ）とされる入力チャンネル３３ｉの構成を示すブロック図を図４に示す。
入力チャンネル３３ｉにおいて、ＳＴバス３４へ入力信号を送る経路には、アッテネータ（ＡＴＴ）４１、イコライザ（ＥＱ）４２、第１ダイナミクス（Ｄｙｎａ１）４３、第２ダイナミクス（Ｄｙｎａ２）４４、フェーダ（Ｖｏｌ）４５のそれぞれ異なる信号処理を行う各信号処理モジュールが縦続して接続されている。ここで、アッテネータ４１は入力信号のレベルを減衰又は増幅する処理を行うレベル制御器である。また、イコライザ４２は入力信号の周波数特性を調整する処理を行うパラメトリックイコライザであり、例えばHIGH、HIGH MID、LOW MID、LOWの４バンドを備えている。
【００２２】
また、第１ダイナミクス４３および第２ダイナミクス４４は、それぞれ、信号の入力レベルが閾値以下となると出力レベル（ゲイン）を急激に小さくしてノイズをゲートするゲート処理、信号の入力レベルが閾値以上になると一定のレートで出力レベル（ゲイン）を小さくしてダイナミックレンジを圧縮するコンプレッサ処理、あるいは、信号の入力レベルが閾値以下になると、一定のレートで出力レベル（ゲイン）を小さくしてダイナミックレンジを伸張するエキスパンダー処理のいずれかを行う信号処理モジュールである。フェーダ４５は、入力チャンネル３３ｉの入力レベルを調整する処理を行うフェーダである。フェーダ４５から出力される入力信号は入力チャンネル３３ｉのオン／オフを切り換えるスイッチＣＨ＿ＯＮおよびＳＴバス３４への入力信号をオン／オフするスイッチＳＴ＿ＯＮを介してパンＰＡＮに供給され、パンＰＡＮにより音像の定位が設定されたＬ、Ｒ信号がＳＴバス３４のＬ、Ｒにそれぞれ供給される。
【００２３】
また、入力チャンネル３３ｉにおいては１６本のＭＩＸバス３５へそれぞれ入力信号を供給する１６本の経路が設けられている。ＭＩＸバス３５の１本目へ入力信号を供給する経路においては、第１プリ／ポストスイッチＰ．Ｐ１で選択された信号が第１センドレベル調整器ＳＮＤ＿Ｌ１に供給され、センドレベルが調整された信号がＭＩＸバス３５への入力信号をオン／オフする第１センドスイッチＳＮＤ＿ＯＮ１を介してＭＩＸバス３５の１本目に供給される。第１プリ／ポストスイッチＰ．Ｐ１では、Ｖｏｌ４５に入る前のプリフェーダ信号（ＰＲＥ）とＶｏｌ４５を経由したポストフェーダ信号（ＰＯＳＴ）とのいずれかの信号を選択している。すなわち、第１プリ／ポストスイッチＰ．Ｐ１を「ＰＯＳＴ」側に切り換えた際には、第１プリ／ポストスイッチＰ．Ｐ１からＶｏｌ４５およびスイッチＣＨ＿ＯＮを経由したポストフェーダ信号が出力される。また、第１プリ／ポストスイッチＰ．Ｐ１を「ＰＲＥ」側に切り換えた際には、第１プリ／ポストスイッチＰ．Ｐ１からＶｏｌ４５に入る前のプリフェーダ信号が出力される。
【００２４】
また、１６本のＭＩＸバス３５へそれぞれ入力信号を供給する１６本の経路の構成は同様とされており、ＭＩＸバス３５へ入力信号を供給する各経路においては、ＭＩＸバス３５の１本目へ入力信号を供給する経路と同様の回路構成を経てＭＩＸバス３５のそれぞれへ入力信号が供給される。
なお、入力チャンネル３３ｉはｉ番目の入力チャンネル（ｉ）とされることから、入力チャンネル３３ｉにおけるＡＴＴ４１はＡＴ（ｉ）と表し、Ｖｏｌ４５はＶｏｌ（ｉ）と、スイッチＣＨ＿ＯＮはＯＮ（ｉ）と、プリ／ポストスイッチＰ．ＰはＰｒｅ（ｉ，ｊ）と、センドレベル調整器ＳＮＤ＿ＬはＳＬ（ｉ，ｊ）と、センドスイッチＳＮＤ＿ＯＮはＳｏｎ（ｉ，ｊ）と表すものとする。なお、（ｉ，ｊ）は入力チャンネル（ｉ）におけるＭＩＸバス３５のｊ本目を表している。
【００２５】
ＳＴバス３４およびＭＩＸバス３５には、複数の入力チャンネルから上記したように信号処理が施された入力信号が選択的に供給されてミキシングされる。そして、ＳＴバス３４およびＭＩＸバス３５においてミキシングされたミキシング信号はＳＴ出力ｃｈ部３６およびＭＩＸ出力ｃｈ部３７にそれぞれ出力される。ＳＴ出力ｃｈ部３６およびＭＩＸ出力ｃｈ部３７の各出力チャンネルにおいては、上記したＥＱやＤｙｎａおよびＶｏｌ等の信号処理モジュールが設けられており、これらの信号処理モジュールによりミキシング信号に信号処理が施される。そして、信号処理が施されてＳＴ出力ｃｈ部３６およびＭＩＸ出力ｃｈ部３７から出力された出力ｃｈ信号は出力パッチ３８においてアナログ出力ポート部（Ａ出力）３９やディジタル出力ポート部（Ｄ出力）４０の各出力ポート毎に選択的にパッチされて出力されるようになる。
【００２６】
次に、図５（ａ）（ｂ）にイコライザ４２のデータと、ダイナミクス４３，４４のデータの一例を示す。図５（ａ）に示すイコライザ４２のデータは、先述した４バンドの各バンド毎の中心周波数（Ｆ）、選択度（Ｑ）およびゲイン（Ｇ）とされ、ＲＡＭ１２に記憶されているパラメータのうちの、選択されたチャンネルのこれらのパラメータの現在値は、選択ｃｈ操作部５０に用意されているＥＱノブ５０ｂを回転操作して変更できる。また、何れかのＥＱノブ５０ｂを軸方向に押してスイッチをオンさせると、割当ｃｈストリップ５１のエンコーダ６０に、オンされたＥＱノブ５０ｂに割り当てられているパラメータが割り当てられて、その後、所望のチャンネルが割り当てられたｃｈストリップのエンコーダ６０を回転操作することにより、ＲＡＭ１２に記憶されているパラメータのうちの、該所望のチャンネルの、当該割り当てられたパラメータの現在値が変更されるようになる。
図５（ｂ）に示すダイナミクス４３，４４のデータは、コンプレッサやゲート、エキスパンダ等のいずれかを示すタイプ、閾値、レート、アタック、リリース等とされ、ＲＡＭ１２に記憶されているパラメータのうちの、選択されたチャンネルの閾値、レート、アタック、リリースのパラメータを選択ｃｈ操作部５０に用意されているダイナミクスノブ５０ｃ，５０ｄを回転操作して変更できる。また、ダイナミクスノブ５０ｃ，５０ｄを軸方向に押してスイッチをオンさせると、割当ｃｈストリップ部５１のエンコーダ６０にオンされたノブ操作子に割り当てられているパラメータが割り当てられて、その後、所望のチャンネルが割り当てられたｃｈストリップのエンコーダ６０を操作することにより、ＲＡＭ１２に記憶されているパラメータのうちの、該所望のチャンネルの、当該割り当てられたパラメータの現在値が変更されるようになる。
【００２７】
次に、本発明にかかるディジタルミキサ１において実行されるパネル関連処理のフローチャートを図７に示す。
図７(ａ)は、グループＳＷ(ｇ)オンイベント処理のフローチャートであり、Ｇ選択操作部５２においていずれかのグループが選択された際に起動され、ステップＳ１０にて選択されたグループ(ｇ)の番号が選択グループＳＧのカレント値としてＲＡＭ１２に書き込まれる。そして、ステップＳ１１にてタッチパネル１０１の表示画面が更新されて、Ｇ選択操作部５２において選択されたグループ(ｇ)に対応するｃｈストリップ画面が表示され、グループＳＷ(ｇ)オンイベント処理は終了する。表示されたｃｈストリップ画面は、例えば図６に示すｃｈストリップ部１０２として示されている。
また、図７(ｂ)はフェーダ(ｉ)操作イベント処理のフローチャートであり、割当ｃｈストリップ部５１におけるｃｈストリップｉのフェーダ６６が操作された際に起動され、ステップＳ２０にて操作後の操作値がパラメータＰ(Ｖｏｌ，ｃ(ＳＧ，ｉ))のカレント値としてＲＡＭ１２に書き込まれ、フェーダ(ｉ)操作イベント処理は終了する。ここで、チャンネルｃ（ＳＧ，ｉ）は、選択グループＳＧにおいてｃｈストリップｉに割り当てられているチャンネルである。また、パラメータＰ（Ｖｏｌ、ｃ（ＳＧ，ｉ））は、該チャンネルのボリューム値Ｖｏｌのパラメータである。
【００２８】
次に、本発明にかかるディジタルミキサ１において実行されるｃｈストリップ処理のフローチャートを図８に示す。
図８(ａ)は、ＳＥＬ(ｉ)オン操作イベント処理のフローチャートであり、割当ｃｈストリップ部５１におけるｃｈストリップｉに設けられているＳＥＬキー６１がオン操作された際に起動され、ステップＳ３１にてチャンネルｃ(ＳＧ，ｉ)が選択チャンネルＳＣのカレント値としてＲＡＭ１２に書き込まれる。チャンネルｃ（ＳＧ，ｉ）は、選択グループＳＧのｃｈストリップｉに割り当てられているチャンネルである。そして、ステップＳ３２にてタッチパネル１０１の表示画面が更新されて、選択チャンネルＳＣのチャンネル番号やチャンネル名がタッチパネル１０１の選択ｃｈ部１０６に表示され、ＳＥＬ(ｉ)オン操作イベント処理は終了する。
【００２９】
図８（ｂ）は、ノブ(ｉ)操作イベント処理のフローチャートであり、割当ｃｈストリップ部５１におけるｃｈストリップｉに設けられているエンコーダ６０が回転操作された際に起動され、ステップＳ４０にてエンコーダ６０の操作値がパラメータＰ（ＳＰ，ｃ（ＳＧ，ｉ））のカレント値としてＲＡＭ１２に書き込まれる。パラメータＰ（ＳＰ，ｃ（ＳＧ，ｉ））は、ＲＡＭに記憶されているパラメータのうちの、選択グループＳＧのｃｈストリップｉに割り当てられているチャンネルの、選択パラメータＳＰが示しているパラメータである。そして、ステップＳ４１にて、タッチパネル上に当該パラメータに関する表示が行われている場合は、その表示内容（ノブの回転角度など）を更新して、ノブ（ｉ）操作イベントを終了する。
【００３０】
次に、本発明にかかるディジタルミキサ１において実行される選択ｃｈ操作部５０におけるノブ（ｐ）操作イベント処理のフローチャートを図９に示す。
選択ｃｈ操作部５０におけるスイッチ付きノブ操作子のいずれかが回転操作された際に起動され、ステップＳ５０にてノブ操作子の操作値がパラメータＰ（ｐ，ＳＣ）のカレント値としてＲＡＭ１２に書き込まれる。パラメータＰ(ｐ，ＳＣ)は、ＳＥＬキー６１がオン操作されて選択された選択チャンネルＳＣにおける回転操作されたｐ番目のスイッチ付きノブ操作子に対応するパラメータである。ここで、選択ｃｈ操作部５０に設けられている各ノブ操作子は、入力チャンネルないし出力チャンネルを制御する複数のパラメータのうちの１つに対応しており、ノブ操作子の番号ｐは、同時に、入力チャンネルないし出力チャンネルの１つのパラメータを示す番号とされている。そして、ステップＳ５１にてタッチパネル１０１の表示画面が更新されて、表示されたｃｈストリップ画面のｃｈストリップ部１０２におけるパラメータＰ（ｐ，ＳＣ）に該当する表示が更新され、ノブ（ｐ）操作イベント処理は終了する。
【００３１】
次に、本発明にかかるディジタルミキサ１において実行される選択ｃｈ操作部５０におけるノブ（ｐ）オン操作イベント処理のフローチャートを図１０に示す。
選択ｃｈ操作部５０におけるスイッチ付きノブ操作子のいずれかが軸方向に操作されてオンされた際に起動され、ステップＳ６０にてオンされたｐ番目のスイッチ付きノブ操作子の番号ｐが選択パラメータＳＰのカレント値としてＲＡＭ１２に書き込まれる。すなわち、当該オンされたノブ操作子の番号ｐが示すパラメータが、割当ｃｈストリップ部５１における各ｃｈストリップのエンコーダ６０に割り当てられる。そして、ステップＳ６１にて、ｃｈストリップ部１０２におけるカーソルを、選択パラメータＳＰが示すパラメータに対応するノブ操作子あるいはブロックに移動させる。次いで、ステップＳ６２にて選択パラメータＳＰが示すパラメータの詳細設定用のポップアップ画面がオープンされているか否かが判断される。ここで、選択パラメータＳＰのポップアップ画面がオープンされていないと判断された場合は、ステップＳ６３に進み選択パラメータＳＰのポップアップ画面がオープンされる。また、ステップＳ６２にて選択パラメータＳＰのポップアップ画面がオープンされていると判断された場合は、ステップＳ６４に分岐して選択パラメータＳＰのポップアップ画面をクローズしてノブ（ｐ）オン操作イベント処理は終了する。
【００３２】
図１０に示すノブ（ｐ）オン操作イベント処理のステップＳ６１にて移動したカーソルの一例を図１１に示す。
図１１は、選択ｃｈ操作部５０におけるスイッチ付きのセンドレベルノブ５０ａの３番目（Ｓｅｎｄ３）がオン操作された場合の例であり、ｃｈストリップ部１０２の各ｃｈストリップにおけるセンドレベル部１０２ｄのＳｅｎｄ３の横一列のすべての操作子がカーソル１０２ｅが囲まれるようにカーソル１０２ｅが移動する。ここで、割当ｃｈストリップ部５１のｉ番目のエンコーダ６０−ｉを回転操作すると、ＲＡＭ１２のパラメータのうちの、ｃｈストリップｉに対応したチャンネルｃ（ＳＧ，ｉ）の信号を、３本目のＭＩＸバスに送る際のセンドレベル（ＳＮＤ＿Ｌ３）が変更される。すなわち、ＲＡＭ１２に記憶された選択パラメータＳＰには、３番目のセンドレベル（ＳＮＤ＿Ｌ３）を示す値が設定されている。そして、Ｓｅｎｄ３の操作子が変更された値に対応するよう表示変更される。
なお、センドレベル部１０２ｄの上部の上部の表示部は第２ダイナミクス４４の入力信号レベルをバーグラフで表示するレベルメータ１０２ｂとされ、現在設定されているスレシホールド１０２ｃのレベルもレベルメータ１０２ｂ上に破線で表示される。さらにその上部の表示部は、第１ダイナミクス４３によるゲインリダクション量をバーグラフで表示するＧＲメータ１０２ａとされている。
【００３３】
次に、図１０に示すノブ（ｐ）オン操作イベント処理のステップＳ６３にてオープンされたポップアップ画面の一例を図１２に示す。
図１２に示すポップアップ画面１０５は、選択ｃｈ操作部５０におけるスイッチ付きのセンドレベルノブ５０ａの３番目（Ｓｅｎｄ３）がオン操作された場合のポップアップ画面とされており、各入力チャンネルの信号を３本目のＭＩＸバスに送る際のセンドレベル（ＳＮＤ＿Ｌ３）の操作子ＳＮＲ＿Ｌ１０５ａと、プリ／ポスト（Ｐ．Ｐ３）のスイッチＰ．Ｐ１０５ｃおよびセンドオン（ＳＮＤ＿ＯＮ３）のスイッチＳＮＤ＿ＯＮ１０５ｂが、ｃｈストリップ部１０２に表示されているチャンネル数だけポップアップ画面１０５に表示される。ポップアップ画面１０５において、プリ／ポストスイッチＰ．Ｐ１０５ｃおよびセンドスイッチＳＮＤ＿ＯＮ１０５ｂの表示をマウス等のポインティングデバイスによりクリックすると、そのオン／オフを反転することができる。なお、ハッチされたプリ／ポストスイッチＰ．Ｐ１０５ｃおよびセンドスイッチＳＮＤ＿ＯＮ１０５ｂはオンされたことを示している。このポップアップ画面１０５により、ｃｈストリップ部１０２には表示されていないパラメータもタッチパネル１０１に表示することができる。
【００３４】
次に、図１０に示すノブ（ｐ）オン操作イベント処理のステップＳ６１にて移動したカーソルの他の例を図１３に示す。
図１３は、選択ｃｈ操作部５０におけるスイッチ付きの第２ダイナミクスノブ５０ｄの何れかがオン操作された際の例であり、ｃｈストリップ部１０２におけるレベルメータ１０２ｂのブロックがカーソル１０２ｅで囲まれるようになる。オン操作された操作子が閾値のノブ操作子であった場合、割当ｃｈストリップ部５１のｃｈストリップｉのエンコーダ６０−ｉを回転操作すると、ＲＡＭ１２のパラメータのうちの、ｃｈストリップｉに対応したチャンネルｃ（ＳＧ，ｉ）の、第２ダイナミクス４４のスレシホールド（閾値）の値が変更される。そして、ｃｈストリップｉのスレシホールド１０２ｃの表示が変更された値に対応するよう表示変更される。オン操作された操作子がレートのノブ操作子であった場合、同様に、ＲＡＭ１２のパラメータのうちの、チャンネルｃ（ＳＧ，ｉ）の第２ダイナミクスのレートの値が変更されるが、図１３の図面では第２ダイナミクスのレートの表示はされていないので、表示の更新は行われない。
【産業上の利用可能性】
【００３５】
以上説明した本発明において、入力チャンネル部３３におけるチャンネル数は４８チャンネルとしたが、任意のチャンネル数とすることができる。また、Ｇ選択操作部５２にはユーザが新規に設定したグループを登録することができる。この場合、拡張カードをディジタルミキサ１に装着することにより新規グループを作成することができる。
また、図６に関して、タッチパネルにｃｈストリップ部１０２とチャンネル操作部とが表示される例を説明したが、タッチパネルには任意の画面を表示可能であり、この例には限定されない。例えば、ｃｈストリップ部１０２の代わりに、ディジタルミキサのシステムのセットアップを行うセットアップ画面、モニタ機能の設定を行うモニタ画面、シーンメモリの管理を行うシーンメモリ画面などを表示することができる。さらに、タッチパネルのチャンネル操作部の表示を廃止して、その代わりに、パネル上に選択ｃｈ操作部の各操作子に対応させて現在値を示す表示器を設けるようにしてもよい。さらにまた、実施例における表示手段はタッチスクリーン（タッチパネル）であったが、画面へのタッチを検出する機能をもたない液晶等のディスプレイに変更しても良い。
【図面の簡単な説明】
【００３６】
【図１】本発明の実施例にかかるディジタルミキサの構成を示すブロック図である。
【図２】本発明にかかるディジタルミキサにおいてミキシング処理が行われる等価的な機能ブロックの構成を示す図である。
【図３】本発明にかかるディジタルミキサのパネルの概略構成と、パネルに設けられている割当ｃｈストリップ部とＧ選択操作部の構成を示す図である。
【図４】本発明のディジタルミキサにおいて入力ｃｈ部におけるｉ番目の入力チャンネル（ｉ）の構成を示すブロック図である。
【図５】本発明にかかるイコライザのデータと、ダイナミクスのデータの一例を示す図である。
【図６】本発明にかかるディジタルミキサのパネルの中央セクションの構成を示す図である。
【図７】本発明にかかるディジタルミキサにおいて実行されるパネル関連処理のフローチャートである。
【図８】本発明にかかるディジタルミキサにおいて実行されるｃｈストリップ処理のフローチャートである。
【図９】本発明にかかるディジタルミキサにおいて実行されるノブ（ｐ）操作イベント処理のフローチャートである。
【図１０】本発明にかかるディジタルミキサにおいて実行されるノブ（ｐ）オン操作イベント処理のフローチャートである。
【図１１】本発明にかかるディジタルミキサで実行されるノブ（ｐ）オン操作イベント処理において移動したカーソルの一例を示す図である。
【図１２】本発明にかかるディジタルミキサで実行されるノブ（ｐ）オン操作イベント処理においてオープンされたポップアップ画面の一例を示す図である。
【図１３】本発明にかかるディジタルミキサで実行されるノブ（ｐ）オン操作イベント処理において移動したカーソルの他の例を示す図である。
【符号の説明】
【００３７】
１  ディジタルミキサ、１０  ＣＰＵ、１１  フラッシュメモリ、１２  ＲＡＭ、１３  その他Ｉ／Ｏ、１４  コンピュータ接続インタフェース、１５  タッチスクリーン、１６  操作子、１７  電動フェーダ、１８  波形Ｉ／Ｏ、１９  信号処理部、２０  バス、３０  Ａ入力、３１  Ｄ入力、３２  入力パッチ、３３  入力チャンネル部、３４  ＳＴバス、３５  ＭＩＸバス、３６  ＳＴ出力ｃｈ部、３７  ＭＩＸ出力ｃｈ部、３８  出力パッチ、３９  Ａ出力、４０  Ｄ出力、４１  ＡＴＴ、４２  イコライザ、４３  第１ダイナミクス、４４  第２ダイナミクス、４５  フェーダ、５０  選択ｃｈ操作部、５０ａ  センドレベルノブ、５０ｂ  ＥＱノブ、５０ｃ  第１ダイナミクスノブ、５０ｄ  第２ダイナミクスノブ、５１  割当ｃｈストリップ部、５２  Ｇ選択操作部、５２ａ〜５２ｊ  グループ、５３  各種操作子、６０，６０−１，６０−２  エンコーダ、６１，６１−１，６１−２  ＳＥＬキー、６２，６２−１，５２−２  ＣＵＥキー、６３−１，６３−２  メータＬＥＤ、６４，６４−１，６４−２  ＯＮキー、６５  摘み、６６，６６−１，６６−２  フェーダ、１０１  タッチパネル、１０２  ｃｈストリップ部、１０２ａ  ＧＲメータ、１０２ｂ  レベルメータ、１０２ｃ  スレシホールド、１０２ｄ  センドレベル部、１０２ｅ  カーソル、１０３  センドレベル部、１０４  ＥＱ部、１０５  ポップアップ画面、１０５ａ  操作子ＳＮＤ＿Ｌ、１０５ｂ  操作子ＳＮＤ＿ＯＮ、１０５ｃ  プリ／ポストスイッチ、１０６  選択ｃｈ部
【図１】
0004380746.tif 000002
【図２】
0004380746.tif 000003
【図３】
0004380746.tif 000004
【図４】
0004380746.tif 000005
【図５】
0004380746.tif 000006
【図６】
0004380746.tif 000007
【図７】
0004380746.tif 000008
【図８】
0004380746.tif 000009
【図９】
0004380746.tif 000010
【図１０】
0004380746.tif 000011
【図１１】
0004380746.tif 000012
【図１２】
0004380746.tif 000013
【図１３】
0004380746.tif 000014